(57)【要約】【課題】鉄道事故等の非常時に用いられ、鉄道のレール上に立てるか、または手に持って振り回して使用することのできる装着具付きの信号炎管において、手で持った際に保持線が回転できる構造を維持したまま、飛散する燃焼残渣の熱による装着具の変形を抑制でき、繰り返しの使用が可能になる装着具付き信号炎管を提供すること。【解決手段】信号炎管本体に接続された装着具の底面及び側面を覆う保護部材を具備させたことを特徴とする信号炎管。【選択図】図２
0003161085.tif 000002
【実用新案登録請求の範囲】
【請求項１】
信号炎管本体と、底栓とからなる信号炎管において、
該底栓にはレールに取り付けるための永久磁石が取り付けられており、
信号炎管の本体に接続された底栓底面に、レール面への固定用の永久磁石を設け、
２個の湾曲部を支持部において結合した保持線の基端部を底栓の両側面で回転自在に支持し、
さらにその基端部の下方において、
底栓の側面に、保持線の逆回転を阻止する突起を設け、
格納時には前記保持線を本体に密着せしめ、
手持ちの操作の時は保持線を格納時の原位置より１８０°回転させ突起と支持部によって固定せしめてこれを持ち手となし、
さらに、レール面等に固定するときには保持線を格納時の原位置より２７０°回転させ、永久磁石および支持線により直立固定せしめ得るようにしたことを特徴とする信号炎管であって、
前記底栓部分には、レールに取り付けられた際、レール側に合い向かう側の底栓側面及び前記底栓の底面全面を覆う保護部材が具備されていることを特徴とする信号炎管。
【請求項２】
保護部材が略Ｌ字形状の金属製の保護部材であり、
底栓の底面全面を密着して覆い、
底栓側面との間には空間部をなす形状で、
その底栓側面の保護部材の先端は、信号炎管本体と底栓の接続部位近傍にて接触されてなることを特徴とする請求項１に記載の信号炎管。
【考案の詳細な説明】
【技術分野】
【０００１】
本考案は、鉄道事故等の緊急時に使用する信号炎管に関し、より詳しくは鉄道等のレール上に取り付けるため、信号炎管本体に底栓が具備されている信号炎管に関する。
【背景技術】
【０００２】
鉄道事故等の非常用に用いられる信号炎管は、鉄道のレール上に立てるか、または手に持って振り回して使用できる構造となっている。
【０００３】
レール上に立てる場合には、強風等によって倒れないよう固定する必要がある。
また、手に持って使用する場合には信号炎管を燃焼中にも安全に使用できるよう持ち手を付けておく必要がある。
【０００４】
特許文献１には、レール上に固定するための永久磁石及び手持ち操作の際、持ち手またはレール面上に直立される場合の支持具としての保持線を具備した底栓付き信号炎管が開示されている。
【０００５】
上記底栓は構造上、信号炎管内部の火薬に直接接触する可能性があるため、安全性の面から金属製の材質は好ましくなく、底栓の加工の面から通常、プラスチック製のもの、例えばポリスチレン製のものが使用される。
しかし、該底栓は信号炎管の燃焼時に飛散した燃焼残渣の熱により変形して使用不能になってしまうという問題がある。よって、燃焼残渣の影響を受けないものに改良することが望まれていた。
【先行技術文献】
【特許文献】
【０００６】
【特許文献１】実開昭５０−１４１５７８号公報
【考案の概要】
【考案が解決しようとする課題】
【０００７】
本考案の目的は、上記した課題に鑑み、手で持った際に保持線が回転できる構造を維持したまま、飛散する燃焼残渣の熱による底栓の変形を抑制でき、繰り返しの使用が可能な底栓付き信号炎管を提供することである。
【課題を解決するための手段】
【０００８】
本考案者等は、鋭意検討した結果、底栓の底面及び側面を覆う金属製の保護部材を具備させることで、上記課題を解決することを見出し、本考案を完成するに至った。
【０００９】
すなわち、本考案は以下（１）及び（２）に示すものである。
【００１０】
（１）信号炎管本体と、底栓とからなる信号炎管において、
該底栓にはレールに取り付けるための永久磁石が取り付けられており、
信号炎管の本体に固定された底栓底面に、レール面への固定用の永久磁石を設け、
２個の湾曲部を支持部において結合した保持線の基端部を底栓の両側面で回転自在に支持し、
さらにその基端部の下方において、
底栓の側面に、保持線の逆回転を阻止する突起を設け、
格納時には前記保持線を本体に密着せしめ、
手持ちの操作の時は保持線を格納時の原位置より１８０°回転させ突起と支持部によって固定せしめてこれを持ち手となし、
さらに、レール面等に固定するときには保持線を格納時の原位置より２７０°回転させ、永久磁石および支持線により直立固定せしめ得るようにしたことを特徴とする信号炎管であって、
前記底栓部分には、レールに取り付けられた際、レール側に合い向かう側の底栓側面及び底栓底面の全面を覆う保護部材が具備されていることを特徴とする信号炎管。
【００１１】
（２）前記保護部材が、略Ｌ字形状の金属製の保護部材であり、底栓側面との間に空間を有するような形状で、
その底栓側面の保護部材の先端は、信号炎管本体と底栓の接続部位近傍にて接触されてなることを特徴とする（１）に記載の信号炎管。
【考案の効果】
【００１２】
本考案によれば、保護部材により底栓底面および底栓側面が覆われることで、手で持って使用する際にも保持線が回転できる構造を維持したまま、信号炎管の燃焼時の燃焼残渣による底栓の変形が抑制でき、繰り返して使用することができる。
【図面の簡単な説明】
【００１３】
【図１】従来の信号炎管の使用状態を示す模式図。
【図２】本考案の信号炎管を側面から見た格納時の見取り図。
【考案を実施するための形態】
【００１４】
本考案は、従来の信号炎管の使用時における底栓の損傷を抑制するためになされたものである。
すなわち、従来の信号炎管をレールに固定する際、通常、図１に示したようにレールに固定するのが一般的である。
ここで、レール軌道の台座部分に底栓に具備された永久磁石によって固定し、
保持線を外側にして、信号炎管本体は、やや傾いた状態でレール上に固定される。
この状態で信号炎管を燃焼させるため、燃焼時信号炎管の燃焼残渣がレールと信号炎管本体とのなす隙間に飛散して入り込むため、レールと合い向かう側の底栓側面部が、その燃焼残渣の熱によって特に損傷され変形が引き起こされていた。
【００１５】
本考案は、そのような問題を解決するための信号炎管である。以下、本考案を図面に基づいて詳細に説明する。
【００１６】
図２は、本考案の信号炎管を側面から見た格納時の見取り図で、信号炎管の本体に接続された底栓の底面には、レール面等への固定用の永久磁石が取り付けられている。
また、保持線は、手持ち操作の際の持ち手、またはレール面上に直立させる場合の支持具として用いられるもので、２個の湾曲部を支持部において結合したものである。
湾曲部は図２の通り馬蹄型であるが、コの字型に曲げたものでも良い。またこれらを結合する支持部は、円筒形の本体の外周の曲率に合わせて、湾曲している。
保持線は弾力のある金属線あるいはプラスチック製で、押し拡げに対して復元力のあるものが好ましい。
【００１７】
保持線の両基端部は、内側に折り曲げられて、底栓の両側面に穿たれた穴に挿入されており、保持線はこの孔を支持点として、回転自在に支持される。また、底栓の側面には、保持線の基端部を挿入した支持点の下方において、例えばその真下から若干ずらした位置に、保持線の逆回転を阻止するための突起部が設けられており、この場合突起部はその上面に図示されているように、傾斜面を有している。
【００１８】
本考案の信号炎管を手持ち操作する場合には、保持線を、図２に示した格納時の原位置から、底栓の下方に１８０°回転させる。
すなわち、原位置より保持線を回転せしめると、その湾曲部の下部は、突起上の傾斜面によって押し拡げられるが、１８０°回転するとこの突起から外れ、保持線は弾力によって狭められるので、逆回転が不能となる。同時に保持線の支持部は、底栓の底面に接するので、保持線は固定された状態となる。
【００１９】
手持ち操作の後、さらにレール面等の上に固定する場合、保持線の湾曲部を若干拡げると、その支持部は底栓の下線から外れるので、保持線は更に回転が可能になる。そしてこれが格納時の原位置により２７０°回転した位置で、支持部が本体に当たる。
この状態でレール面上におけば、本体は永久磁石の吸引力と、保持線の側面よりの支持によって直立、固定される。
【００２０】
本考案の信号炎管は、レールに取り付けられた際、レール側に合い向かう側の底栓側面及び前記底栓の底面全面を覆う保護部材が具備されていることを特徴とする信号炎管である。
保護部材が底栓全面及び底栓側面を覆うことで飛散した燃焼残渣の熱による変形が抑えられる。
【００２１】
本考案に用いる保護部材は、底栓の永久磁石により底栓で固定できるものであれば、材質は特に制限されない。
使用できる保護部材の材質としては、強磁性体の金属を使用でき、例えば、ＳＵＳ４０５、ＳＵＳ４１０、ＳＵＳ４３０、ＳＵＳ４３０Ｆ、ＳＵＳ４３０ＬＸ、ＳＵＳＪ１Ｌ、ＳＵＳ４３４、ＳＵＳ４３６Ｌ、ＳＵＳ４３６Ｊ１Ｌ、ＳＵＳ４４４、ＳＵＳ４４７Ｊ１、ＳＵＳＸＭ２７等のステンレス材料を用いることが好ましい。
保護部材の厚さについては特に制限されるものではないが、好ましくは０．１ｍｍ乃至１．０ｍｍのものであり、より好ましくは、加工性の面から０．３ｍｍ〜０．５ｍｍのものである。
【００２２】
保護部材は底栓に具備された永久磁石にて固定される。
このとき底栓側面部は保護部材とを出来るだけ接触させないようにし、やや空間部を設けることで、底栓への伝熱が悪くなり、燃焼残渣の飛散による底栓の変形や損傷が抑制できるため好ましい。
このため、保護部材は、図２のように略Ｌ字型の形状であるものが好ましい。
図の保護部材において、底栓底面に密着させる面と、底栓側面を保護する面は約８０°の角度をなしており、底栓側面と保護部材とは空間を有しており、その先端が信号炎管本体と底栓との接続部位近傍において一部接触されている形状をなしている。
【産業上の利用可能性】
【００２３】
本考案の信号炎管は、鉄道事故等の非常時に使用することができ、レール等に固定したり、手に持って使用する信号炎管として有用である。
【符号の説明】
【００２４】
１    本体
２    底栓
３    永久磁石
４    湾曲部
５    支持部
６    保持線
７    基端部
８    突起
９    傾斜面
１０  保護部材
【図１】
0003161085.tif 000003
【図２】
0003161085.tif 000004
【手続補正書】
【提出日】平成22年5月13日(2010.5.13)
【手続補正１】
【補正対象書類名】実用新案登録請求の範囲
【補正対象項目名】請求項１
【補正方法】変更
【補正の内容】
【請求項１】
信号炎管本体と、底栓とからなる信号炎管において、
該底栓にはレールに取り付けるための永久磁石が取り付けられており、
信号炎管の本体に接続された底栓底面に、レール面への固定用の永久磁石を設け、
２個の湾曲部を支持部において結合した保持線の基端部を底栓の両側面で回転自在に支持し、
さらにその基端部の下方において、
底栓の側面に、保持線の逆回転を阻止する突起を設け、
格納時には前記保持線を本体に密着せしめ、
手持ちの操作の時は保持線を格納時の原位置より１８０°回転させ突起と支持部によって固定せしめてこれを持ち手となし、
さらに、レール面に固定するときには保持線を格納時の原位置より２７０°回転させ、永久磁石および支持線により直立固定せしめ得るようにしたことを特徴とする信号炎管であって、
前記底栓には、レールに取り付けられた際、レール側に合い向かう側の底栓側面及び前記底栓の底面全面を覆う保護部材が具備されていることを特徴とする信号炎管。